(57)【要約】【課題】仕切付きのフラップ封緘箱において、内側のフラップの下方への揺動を防止し、商品を保護する。【解決手段】各一対の端壁１及び側壁２を有し、一方の側壁２は各端壁１から延びる部分を継ぎ合わせて形成し、その一方の部分から延出した仕切板３の先端を他方の側壁２に固着し、端壁１及び側壁２からそれぞれ延出した端フラップ４及び側フラップ５を重ね合わせて封緘する仕切付き箱において、端フラップ４の先端に延長部１２を設け、その延長部１２を仕切板３に載せて封緘し、端フラップ４の下方への揺動を阻止する。【選択図】　図２
2004067147.tif 000002
【特許請求の範囲】
【請求項１】
各一対の端壁１及び側壁２を有し、一方の側壁２は各端壁１から延びる部分を継ぎ合わせて形成し、その一方の部分から延出した仕切板３の先端を他方の側壁２に固着し、端壁１及び側壁２からそれぞれ延出した端フラップ４及び側フラップ５を重ね合わせて封緘する仕切付き箱において、端フラップ４の先端に延長部１２を設け、その延長部１２を仕切板３に載せて封緘することを特徴とする仕切付き箱。
【請求項２】
各一対の端壁１及び側壁２を有し、一方の側壁２は各端壁１から延びる部分を継ぎ合わせて形成し、その一方の部分から延出した仕切板３の先端を他方の側壁２に固着し、端壁１及び側壁２からそれぞれ延出した端フラップ４及び側フラップ５を重ね合わせて封緘する仕切付き箱において、端フラップ４に切込を入れて折返片１３を形成し、この折返片１３を裏側へ折り返し、仕切板３に載せて封緘することを特徴とする仕切付き箱。
【請求項３】
各一対の端壁１及び側壁２を有し、一方の側壁２は各端壁１から延びる部分を継ぎ合わせて形成し、その一方の部分から延出した仕切板３の先端を他方の側壁２に固着し、端壁１及び側壁２からそれぞれ延出した端フラップ４及び側フラップ５を重ね合わせて封緘する仕切付き箱において、仕切板３の上部に延長片１４を突設すると共に、その基端の折目のない部分から下方へ切込片１５を形成し、延長片１４を倒して切込片１５を跳ね上がらせ、各端フラップ４の先端部をそれぞれ延長片１４及び切込片１５に載せて封緘することを特徴とする仕切付き箱。
【請求項４】
各一対の端壁１及び側壁２を有し、一方の側壁２は各端壁１から延びる部分を継ぎ合わせて形成し、その一方の部分から延出した仕切板３の先端を他方の側壁２に固着し、端壁１及び側壁２からそれぞれ延出した端フラップ４及び側フラップ５を重ね合わせて封緘する仕切付き箱において、端フラップ４の両側縁に、先端へかけて内側へ傾斜するテーパー１６を設け、端フラップ４を側フラップ５の外側に重ねて封緘することを特徴とする仕切付き箱。
【発明の詳細な説明】
【０００１】
【発明の属する技術分野】
この発明は、側壁間を横切る仕切を一体に設け、側壁及び端壁から延びるフラップを重ね合わせて封緘する箱に関するものである。
【０００２】
【従来の技術】
例えば、スタンディングパウチ入りの液体洗剤の配送に際し、図１１及び図１２に示すように、各一対の端壁１及び側壁２を有し、一方の側壁２は各端壁１から延びる部分を継ぎ合わせて形成し、その一方の部分から延出した仕切板３の先端を他方の側壁２に固着し、端壁１及び側壁２からそれぞれ延出した端フラップ４及び側フラップ５を重ね合わせて封緘する段ボール箱が使用されている。
【０００３】
【発明が解決しようとする課題】
しかしながら、上記のような箱では、積上荷重が作用すると、テープ封緘の場合だけでなく、ホットメルト接着剤による封緘の場合でも、内側の端フラップ４が下方へ揺動し、その先端部によりスタンディングパウチＰの上部が折り曲げられ、箱を切り開いて陳列する際、見栄えが悪くなるという問題がある。
【０００４】
そこで、この発明は、仕切付きのフラップ封緘箱において、内側のフラップの下方への揺動を防止し、商品を保護することを課題とする。
【０００５】
【課題を解決するための手段】
上記課題を解決するため、この発明は、内側となる端フラップの先端に延長部若しくは折返片を設け、又は仕切板上部に延長片及び切込片を形成し、これらにより端フラップの先端部を支持して、端フラップの下方への揺動を防止することとしたのである。
【０００６】
また、側フラップを仕切板で支持されるように先に折り曲げ、これに端フラップを重ね、外側となる端フラップの両側縁にテーパーを設けて、端フラップのずれや浮きが目立たないようにしたのである。
【０００７】
【発明の実施の形態】
この発明の第１実施形態を図１乃至図３に基づいて説明する。
【０００８】
図１に示すように、この箱のブランクでは、一対の端壁１の間に側壁２が連設されると共に、各端壁１の外側に側壁２の部分が連設され、一方の側壁２の部分には仕切板３が連設されている。
【０００９】
各端壁１及び側壁２の上縁には、それぞれ端フラップ４及び側フラップ５が連設され、各端壁１及び側壁２の下縁には、それぞれ端フラップ６及び側フラップ７が連設されている。また、仕切板３の先端には継代片８が設けられている。
【００１０】
端壁１、側壁２及び仕切板３の裏面下部にはカットテープ９が貼着され、その切始部１０が側壁２の数箇所に位置し、一枚の側壁２の両側及び上縁と継代片８の基端には切断用のジッパ１１が設けられている。
【００１１】
そして、各端壁１から上方に延びる一対の端フラップ４の先端には、それぞれ片側部分に延長部１２が設けられている。
【００１２】
このブランクを組み立てるには、図２に示すように、端壁１及び側壁２を順次折り曲げ、分割された一方の側壁２を継ぎ合わせると共に、仕切板３を折り曲げて、継代片８を他方の側壁２の裏面に貼り付け、下方の端フラップ６及び側フラップ７を順次折り曲げて底面を閉止する。
【００１３】
そして、商品を収納して封緘する際、上方の端フラップ４及び側フラップ５を順次折り曲げて天面を閉止すると、端フラップ４の延長部１２が仕切板３の上端に載り、図３に示すように、端フラップ４の下方への揺動が阻止されるので、商品のパウチＰの上部の折れ曲がりが防止される。
【００１４】
次に、この発明の第２実施形態を図４乃至図６に基づいて説明する。なお、上記第１実施形態と共通の部分については説明を省略する。
【００１５】
この箱のブランクでは、図４に示すように、上方の端フラップ４に、先端側から基端側へ切込を入れて折返片１３が形成されている。この場合、端フラップ４の先端の延長部がないので、材料の段ボールシートを効率よく使用できる。
【００１６】
上記のようなブランクを、図５に示すように組み立てて商品を収納し、封緘する際には、折返片１３を裏側へ折り返して、仕切板３の上端に載せる。
【００１７】
このように封緘すると、図６に示すように、端フラップ４の下方への揺動が阻止されるので、商品のパウチＰの上部の折れ曲がりが防止される。
【００１８】
次に、この発明の第３実施形態を図７乃至図９に基づいて説明する。なお、上記第１実施形態と共通の部分については説明を省略する。
【００１９】
この箱のブランクでは、図７に示すように、仕切板３の上部に延長片１４が突設されると共に、その基端の折目のない部分から下方へ切込片１５が形成されている。この場合も、端フラップ４には延長部がないので、材料の段ボールシートを効率よく使用できる。
【００２０】
上記のようなブランクを、図８に示すように組み立てて商品を収納し、封緘する際には、延長片１４を倒して切込片１５を跳ね上がらせ、各端フラップ４の先端部をそれぞれ延長片１４及び切込片１５に載せる。
【００２１】
このように封緘すると、図９に示すように、端フラップ４の下方への揺動が阻止されるので、商品のパウチＰの上部の折れ曲がりが防止される。
【００２２】
次に、この発明の第４実施形態を図１０に基づいて説明する。なお、上記第１実施形態と共通の部分については説明を省略する。
【００２３】
この箱では、端壁１から延びる端フラップ４の両側縁に、先端へかけて内側へ傾斜するテーパー１６を設け、この端フラップ４を側壁２から延びる側フラップ５の外側に重ねて封緘することとしている。
【００２４】
このように封緘すると、端フラップ４及び側フラップ５はどちらも下方へ揺動せず、商品上部の折れ曲がりが防止される。
【００２５】
また、外側に露出する端フラップ４の両側縁は、側壁２と側フラップ５の稜線より内側に位置するので、端フラップ４のずれや浮きが目立たたず、封緘状態での見栄えがよいものとなる。
【００２６】
【発明の効果】
以上のように、この発明に係る仕切付き箱では、内側となる端フラップの先端に延長部若しくは折返片を設け、又は仕切板上部に延長片及び切込片を形成し、これらにより端フラップの先端部を支持して、端フラップの下方への揺動を防止することとしたので、商品上部の折れ曲り等が防止される。
【００２７】
また、側フラップの外側に端フラップを重ねて、端フラップの下方への揺動を防止し、端フラップの両側縁にテーパーを設けたものでは、端フラップのずれや浮きが目立たない。
【図面の簡単な説明】
【図１】この発明に係る仕切付き箱の第１実施形態のブランクを示す図
【図２】同上の封緘状態を示す斜視図
【図３】同上の上部切欠正面図
【図４】この発明に係る仕切付き箱の第２実施形態のブランクを示す図
【図５】同上の封緘状態を示す斜視図
【図６】同上の上部切欠正面図
【図７】この発明に係る仕切付き箱の第３実施形態のブランクを示す図
【図８】同上の封緘状態を示す斜視図
【図９】同上の上部切欠正面図
【図１０】この発明に係る仕切付き箱の第４実施形態の封緘状態を示す斜視図
【図１１】従来の仕切付き箱の封緘状態を示す斜視図
【図１２】同上の上部切欠正面図
【符号の説明】
１　端壁
２　側壁
３　仕切板
４　端フラップ
５　側フラップ
１２　延長部
１３　折返片
１４　延長片
１５　切込片
１６　テーパー
【図１】
2004067147.tif 000003
【図２】
2004067147.tif 000004
【図３】
2004067147.tif 000005
【図４】
2004067147.tif 000006
【図５】
2004067147.tif 000007
【図６】
2004067147.tif 000008
【図７】
2004067147.tif 000009
【図８】
2004067147.tif 000010
【図９】
2004067147.tif 000011
【図１０】
2004067147.tif 000012
【図１１】
2004067147.tif 000013
【図１２】
2004067147.tif 000014